(57)【要約】      （修正有）【課題】密集した小面積内でダイオード端子を簡単に接続する方法の提供。【解決手段】道路標識その他絵画などを広告する標識パネル、玩具等密集した位置にハンダ付けが困難な場合に用いられるダイオード端子の差込み固定型発光装置である。発泡ポリエチレンの面電極１又は２には、低抵抗の炭素粒子と樹脂を溶剤で混合したカーボン系良電導インクが表裏面に付着・乾燥され、更に面電極１又は２の上・下に発泡ウレタンの面絶縁体３・４・５が介され一体に被着して差込み固定型発光装置が設けられる。面電極１又は２には電源電流を接続する接続端子と電源リード線が設けられる、ダイオードには２本の長端子Ｄ１と短端子Ｄ２が具備されており、この２本の端子を面絶縁体と面電極１又は２に差込み固定させ、さらに、前記接続端子に電流を負荷することでダイオードランプは点灯する。【選択図】図１
2007109679.tif 000002
【特許請求の範囲】
【請求項１】
±２面を電極とし、更に針刺し固定が可能な±２面良導体のうちプラス面良導体（１）の一端に電極帯の一部端子（Ａ）を具備し、更にマイナス面良導体（２）の一端に電極帯の一部端子（Ｂ）が具備され、該面良導体（１）・（２）を上・下覆う形で各面絶縁体（３）・（４）・（５）が介在され一体に固定して伝導パネルを設ける、該伝導パネルには電源電流を接続するリード線（ａ）・（ｂ）が具備され１００Ｖ電流又は乾電池で通電させる、該伝導パネルの表面から差込むダイオード（Ｄ）は、（３）・（１）を通過する短端子（Ｄ２）と（３）・（１）・（４）・（２）を通過する長端子（Ｄ１）を具備しており、表裏平面から内部に差込み固定させることを特徴とする、
ダイオード端子の差込み固定式接続方法。
【請求項２】
±２面を電極とし、更に針刺し固定が可能な±２面良導体のうち複数のプラス面良導体（１ａ）〜（１ｚ）範囲内のそれぞれの一端に各電極帯を（Ａ−ａ）〜（Ａ−ｚ）範囲内に設け、更に、該各電極帯の一部端子への配線はダイオードの点灯効果を勘案し前記面良導体の交互に連結する、マイナス面良導体（２）も電極帯の一部端子（Ｂ）を具備して設けられ、更に、前記複数のプラス面良導体（１ａ）〜（１ｚ）範囲内とマイナス面良導体（２）とを挟み覆う形で面絶縁体を介在して（３）・（１ａ〜１ｚ）・（４）・（２）・（５）の順序に固定して伝導パネルを設ける、該伝導パネルには電源電流を接続するリード線（ａ）・（ｂ）が具備され１００Ｖ電流又は乾電池で発光させる、該伝導パネルの表面から差込むダイオード（Ｄ）は、（３）・（１ａ〜１ｚ）を通過する短端子（Ｄ２）と（３）・（１ａ〜１ｚ）・（４）・（２）を通過する長端子（Ｄ１）が設けられ、表裏平面から内部に差込み固定させることを特徴とする、
ダイオード端子の差込み固定式接続方法。
【請求項３】
前記請求の範囲第１又は第２のダイオード端子の差込み固定式伝導パネルの背部全面にカーボン面発熱体又は線状発熱体を具備し、融雪又は結露防止に適応してなる融雪・結露防止付、ダイオード端子の差込み固定式接続方法。
【請求項４】
前記プラス面良導体（１）又はマイナス面良導体（２）の構成は、発泡ウレタン樹脂又は発泡ゴムにカーボン抵抗塗料を含浸・乾燥した面良導体、又は金属箔良導体を特徴とする請求の範囲第１項乃至第３項のいずれかに記載の、
ダイオード端子の差込み固定式接続方法。
【請求項５】
前記ダイオード（Ｄ）の長端子（Ｄ  ）は、±いずれか最初の面良導体に貫通接触する端子周囲を絶縁処理（Ｃ）した後、他の短端子（Ｄ  ）と共に端子先端を鋭利に尖らせ差込むことを特徴とする請求の範囲第１項乃至第３項のいずれかに記載の、ダイオード端子の差込み固定式接続方法。
【請求項６】
前記面絶縁体３・４・５の構成は、発泡スチロール又はスポンジゴムとし、ダイオード端子が容易に通過・固定してなることを特徴とする請求の範囲第１項乃至第３項のいずれかに記載の、
ダイオード端子の差込み固定式接続方法。
【発明の詳細な説明】
【発明の詳細な説明】
【技術分野】
【０００１】    本発明は、±２面の面良導体に電流を負荷させ、ダイオード端子を任意の位置で差込み固定することによりダイオードランプが点滅する機能を備えた、
ダイオード端子の差込み固定式接続方法に関する。
【背景技術】
【０００２】    従来のダイオードの接続構成は、±リード線を良導体としダイオード端子と±リード線をハンダ等で接続させ点滅させる方法が一般的であった。
【発明が解決しようとする課題】
【０００３】    従来のリード線連結方式では、ダイオード端子とリード線とはハンダ付けによるもので青色ダイオード等点灯色が多くなった現状では、配線が雑多となる問題点があった。
【０００４】    本発明は、幾多のダイオード端子のハンダによる点接着を解消することを最大の目的としており、さらに、伝導パネル内部に密集して複数のダイオードが簡単に収納できる構成及び接続方法を提供することが目的である。
【課題を解決するための手段】
【０００５】    上記の目的を達成するために、本発明のダイオード端子の固定方法においては、±２組の面良導体を設け、更に、ダイオード端子の差込み固定板兼絶縁板に発発泡スチロール・スポンジゴム・積層綿等を面良導体の上下に挟む形で設ける。
【０００６】    上記ダイオード端子の取り付ける位置は、標識板の標示に沿って字画・方向・数字等が明確に発光するよう差込み固定される。さらに、発光色の配列は計画して定める。本発明の特徴はダイオード端子を局部的に密集して差込み固定する事が可能である点である。
【０００７】    上記ダイオードの±端子は、長端子と短端子が具備されており、長端子は±いずれか一方の面良導体を突き抜ける周囲を絶縁被覆され、さらに、先端を鋭利に尖らして他の一方の面良導体に突き差し固定される。短端子も、先端を鋭利に尖らし、±いずれか片方の面良導体を突き差し固定する。
【０００８】    上記±面良導体に具備する電極帯は、面良導体の一端に金属電極帯又は金属箔電極帯及び金属インク電極帯等が設けられる。又ダイオード発光を点滅させるために、±それぞれの面良導体に電極帯が設けられる。区分された電極帯には、それぞれ電源電流からのリード線が接続されており交互に電流を導通させ点滅させる。
【０００９】    上記面良導体は、針刺し固定が可能な発泡ウレタン又は発泡ゴムスポンジに低抵抗のカーボン塗料を含浸・乾燥したカーボン面良導体又は針刺し可能な基布に金属箔を付着した良導体が望ましい。
【００１０】    上記面良導体又は面絶縁板を順次組み立てた標識板は、冬季融雪又は凍結により遮断され不透明になるため、本発明は標識板の背面にカーボン面発熱体又は面状発熱体を設け、標識板周囲をガラス板又は樹脂板で覆い防水保温効果をもたらし、前記面発熱体を放射させることによりガラスの凍結を解凍させ鮮明にさせる。
【発明を実施するための最良の形態】
【００１１】    本発明の実施の形態を、実施例にもとづき図面１を参照して説明する。
図１はダイオードの端子固定式接続パネルの形態例を示す一部露出斜視図である。ダイオードＤは、発光灯部Ｒと＋端子Ｄ１と−端子Ｄ２とで構成され、＋端子Ｄ１は、一方の面良導体１を貫通する周辺を絶縁Ｃとし更に先端は面良導体２まで達する、−端子Ｄの長さは一方の面良導体１までとし、±端子いずれの先端も鋭利に尖らし面良導体の発泡ウレタン又は絶縁体のスポンジゴムを突き抜け固定する。
前記面良導体１又は２は発泡ウレタンの如きダイオード端子先端が貫通し易く、更に固定する素材が選定される。面良導体１又は２には、発泡ウレタン又はゴム系発泡体等に低抵抗のカーボン塗料を含浸・乾燥した抵抗体とする。
前記面良導体１又は２の一端には、電源電流を接続する＋電極帯又は−電極帯が取り付けられる。各電極帯の一部に銅板Ａ・Ｂのかしめ端子が使用されるが、用途に応じハドメ端子でもよい。
次ぎに面良導体１・２を挟む形の絶縁体３・４・５は、面良導体１・２と同様にダイオード＋端子Ｄ１又は−端子Ｄ２の先端が貫通し易く、さらに、固定する素材として発泡スチロール又はゴム系発泡体等が好ましい。
更に本発明の標識接続パネルの実施例を、添付の図面２に従って説明する。
標識接続パネルＰの表面は透明ガラス又は透明樹脂で保護されている、パネル側面部は、裏面に設けた面発熱体Ｈからの熱風がパネル内全体を覆うような構成としている。
パネル内部には、図１で説明したように面良導体１・２を絶縁体３・４・５が挟む形で固定されている。各配色のダイオードＤは、標示板の字体に合ったデザインに沿って差込み固定させる。
電源コードａ（＋）・ｂ（−）が面良導体１・２の電極帯の一部端子Ａ・Ｂに接続されている。さらに、電圧毎に抵抗調整器が設けられ制御させている。
【発明の効果】
【００１２】    本発明は、±２面を電極とし針刺し固定が可能な面良導体に複数のダイオード端子を差込み接触させ、予め面良導体に導通させていた電流をダイオードランプに感知させるシステムは、従来見ることのない発想の発明である。この発明により、例えば会社の広告標識又は道路標識・鉄道標識等では、青色発光ダイオードを始め赤・黄色・他の配色を自由なデザインで遠方から鮮明に発光させることができる。
さらに、冬季雪国でも融雪防止が出来、標識を鮮明に確認することができる。
以上このような簡便なシステムは、組み立て費や施工費が格安にできる上、周囲を明るく活性化させる効果をもたらす。
【図面の簡単な説明】
【００１３】
【図１】  ダイオード端子の差込み固定式接続パネルの露出斜視図
【図２】  ダイオードの標識接続パネルの縦断面図
【符号の説明】
【００１４】１……＋面良導体                Ａ……＋面良導体側の接続端子
２……−面良導体                Ｂ……−面良導体側の接続端子
３……面絶縁体                  ａ……Ａに接続する電源コード
４……面絶縁体                  ｂ……Ｂに接続する電源コード
５……面絶縁体                  Ｃ……ダイオードの一部周囲の絶縁処理
Ｐ……標識パネル                Ｄ……ダイオード
Ｇ……標識表面ガラス            Ｄ１……ダイオード長端子
Ｈ……カーボン面発熱体          Ｄ２……ダイオード短端子
【図１】
2007109679.tif 000003
【図２】
2007109679.tif 000004
【手続補正書】
【提出日】平成16年3月19日(2004.3.19)
【手続補正１】
【補正対象書類名】特許請求の範囲
【補正対象項目名】全文
【補正方法】変更
【補正の内容】
【特許請求の範囲】
【請求項１】
第１の端子及び前記第１の端子の長さよりもっと長い長さを有する第２の端子が具備され、前記端子などに所定の電源が印加されることによって光りを照射する発光手段：
一面を介して前記第１、２の端子が差込み固定される第１の面電極：
前記第１の面電極と前記発光手段との間にある第１の固定型絶縁層：
前記第１の面電極の他面に取り付けられる第２の固定型絶縁層：
前記第２の固定型絶縁層に取り付けられ、前記第２の端子が差込み固定される第２の面電極：及び前記第２の面電極の他面に取り付けられる
第３の固定型絶縁層：を含むことを特徴とする差込み固定型発光装置。
【請求項２】
前記第１の端子の長さは、前記第１の面電極の厚さｔ１及び前記第１の固定型絶縁層の厚さｔ２の和より少なくとも短いことを特徴とする請求項１に記載の差込み固定型発光装置。
【請求項３】
前記第２の端子の長さは、前記第１の面電極の厚さｔ１及び前記第１の固定型絶縁層の厚さｔ２または前記第２の固定型絶縁層の厚さｔ３と更に前記第２の面電極の厚さｔ４の和に等しい長さを特徴とする請求項１に記載の差込み固定型発光装置。
【請求項４】
前記第１の面電極及び／または第２の面電極は、電導性インクが付着された発泡ポリエチレンであることを特徴とする請求項１に記載の差込み固定型発光装置。
【請求項５】
前記電導性インクは、炭素粒子と樹脂を溶剤で混合したカーボン系電導性インクであることを特徴とする請求項１に記載の差込み固定型発光装置。
【請求項６】
前記各固定型絶縁層は、発泡ウレタン又は発泡スポンジゴムであることを特徴とする請求項１に記載の差込み固定型発光装置。
【請求項７】
前記第２の端子の絶縁手段は、前記第２の端子の表面をすくなくとも前記第１の面電極の厚さｔ１以上の範囲にして覆うことを特徴とする請求項１に記載の差込み固定型発光装置。
【請求項８】
前記第２の端子の絶縁手段は、絶縁塗料または熱収縮型絶縁チューブであることを特徴とする請求項１又は請求項７に記載の差込み固定型発光装置。
【請求項９】
前記第１の面電極と発光手段との間にある第１の固定型絶縁層の間：
前記第１の面電極と第２の固定型絶縁層の間：
前記第２の固定型絶縁層と第２の面電極との間：
前記第２の面電極と前記第３の固定型絶縁層の間：のそれぞれの周囲に接着層が介在されていることを特徴とする請求項１に記載の差込み固定型発光装置。
【請求項１０】
前記第１の面電極及び／または第２の面電極には、外部電線との電気的な連結のための銅板接続端子が更に形成されていることを特徴とする請求項１に記載の差込み固定型発光装置。
【請求項１１】
前記銅板接続端子と連結され、前記第１の面電極及び／または第２の面電極の周域に沿って形成された電極帯が更に形成されていることを特徴とする請求項１に記載の差込み固定型発光装置。
【請求項１２】
前記第１の面電極及び／または第２の面電極は、０．１〜１．０×１０３Ωｃｍの電気抵抗値を有することを特徴とする請求項１又は請求項５に記載の
差込み固定型発光装置。
【請求項１３】
前記発光装置が内部に収容されるハウジング：及び
前記ハウジング内に設けられた発熱手段により前記発光手段の光りが透過できることを特徴とする請求項１に記載の差込み固定型発光装置。
【請求項１４】
前記発熱手段は、前記発光装置の背面に位置するヒーターであることを特徴とする請求項１３に記載の差込み固定型発光装置。
【請求項１５】
前記第１、２の端子の末端に尖触部を形成することを特徴とする請求項１に記載の差込み固定型発光装置。
【請求項１６】
前記第１の端子は、負極（−）であり、前記第２の端子は、正極（＋）であることを特徴とする請求項１に記載の差込み固定型発光装置。
【請求項１７】
前記発光手段は、ダイオード、電球及び蛍光灯のうち、いずれか一つであることを特徴とする請求項１に記載の差込み固定型発光装置。
【手続補正２】
【補正対象書類名】明細書
【補正対象項目名】全文
【補正方法】変更
【補正の内容】
【発明の詳細な説明】
【技術分野】
【０００１】本発明は、ダイオード端子の第１、２を面電極の第１、２及び絶縁層に差込み固定する端子などに所定の電源が印加されることによって光りを照射する発光装置に関する。
【背景技術】
【０００２】従来から、ダイオード端子の接続は電源リード線にハンダ付けで固定する方法が一般的に知られている。例えばイルミネーション等は長尺な電源リード線にダイオード端子をハンダ付けにし点滅させる方法が多方面で使用されている。然しハンダ付け方法は決して経済的とは言えない。点接着をした後周囲を防水保護する必要があり、かなり複雑である。【０００３】また、近年ダイオードの色別種類も多く、全種に発光効果をもたらして色別毎にダイオード端子を接続するには密集する場所でのハンダ付けは困難である。
このような不経済な方法を解消するために、本願発明者は点接着から面を利用して単純にダイオードの突起端子を差込み固定するだけで発光する方法を発明した。
然し、完成するまでかなり問題があった。【０００４】第１の問題点は、ダイオードの端子が突き刺さる素材選定と、突き刺さった後端子の移動を止める素材の選定が必要であった。第２の問題点は素材を面電極にし良電導性にすることを目的とした。本発明の装置は、２組の面電極の上下に３組の絶縁層がそれぞれ接着して完成されている。この面電極の素材と絶縁層の素材とがダイオード端子を移動しないように差込み固定させることが目的の一つである。
更なる問題点は、面電極が良電導性を維持するため炭素粒子と樹脂を溶剤で混合したカーボン系良電導性インクを付着し乾燥させたことにある。このカーボン抵抗が均一でない場合を考慮し、面電極の縁側周辺に電極帯を具備し内部抵抗を均一にしてダイオードの発光を良好にさせた。【０００５】次ぎに、本願発明者が先に出願したＰＣＴ特許出願で韓国において特許決定された出願番号１０−２００１−７０１６０２４には、発熱体と電気良導体との構成で発熱体が異常温度でショートしたときの漏洩電流を電気良導体が感知し電源電流を遮断する特許内容である。この特許での電気良導体は、不燃紙の片面上に炭素粒子と耐熱樹脂を溶剤で混合した良電導性インクを付加・乾燥させた構成である。【０００６】本発明は、以上述べた発明とは目的と構成が異なる、±２組の面電極にダイオードの２本の突起端子を差込み固定してダイオードランプを発光させる面電極方法である。次ぎに、炭素系良電導性インクでも最も低い抵抗にしないとダイオードのランプは発光しない。韓国の先願特許のように不燃紙に良電導インクを均一に付加・乾燥する場合少々高抵抗の電気良導体でも漏洩電流は感知する。
本発明は、凹凸のある発泡ポリエチレンの表裏面に良電導インクを均一に付加・乾燥させ低い抵抗の面電極を提供することを目的としている。さらに、±２組の面電極を挟み覆う形で介在する面絶縁層には、固定する素材として発泡ウレタンが採用されている。【０００７】本発明のダイオード端子は、長い端子と短い端子が具備されており、その先端は鋭利に尖らしている。この２本の端子は第１の絶縁層から差込まれ短い端子は第１の面電極で止まる。長い端子は、第１の絶縁層から差込まれ第１の面電極及び第２の絶縁層を通過し第２の面電極で止まる。この長い端子の絶縁手段は、第１の面電極の厚さｔ１より長い範囲に端子の周囲を熱収縮型絶縁チューブ等で絶縁保護しており、その先端は第２の面電極まで差込まれて固定される。
ダイオード端子が差込まれて移動しなく固定する素材として面電極は発泡ポリエチレンとカーボン粒子で密接に端子先端は固定される。更に端子が通過する絶縁層には発泡ウレタン又は発泡スポンジゴムを使用し固定させる。
本発明の発光装置が内蔵されている道路標識ＢＯＸには、冬季融雪除去用にヒーターがＢＯＸ背面に装備されており凍結除去とともに光りの透過を鮮明にしている。
【発明の開示】
【０００８】本発明の発光装置は、ダイオードの２本の端子を発光部に接する第１の絶縁層から差込み第１の面電極まで達する。短い端子は負極（−）でありその先端は第１の面電極で止める。２本のうち長い端子は第１の面電極を通過する端子周囲を、熱収縮型絶縁チューブで第１面電極厚（ｔ１）の長さまで絶縁させて通過させ更に第２の絶縁層も通過して第２の面電極まで達し止める。
発光装置は第２の面電極の他面に第３の絶縁層を具備させ完成する。
最終的に第１の絶縁層／第１の面電極／第２の絶縁層／第２の面電極／更に第３の絶縁層のそれぞれに各接着層を具備させ一体に被着させる。
【０００９】第１又は第２の面電極には、炭素粒子と樹脂を溶剤で混合したカーボン系良電導性インクが付着・乾燥され低い電気抵抗を有している。
更に有効な均一抵抗にするため第１、２の面電極の周縁に沿って電極帯を具備させている。電気的接続は電極帯の一端に銅板接続端子が具備され電源コードが接続され１００Ｖ電流または乾電池で通電されている。
次ぎに端子が差込み易く、しかも固定する素材として面電極は発泡ポリエチレンを適応し、絶縁層には発泡ウレタン又は発泡スポンジゴムを採用した。
本発明の優れた点は、ダイオード端子を差込むと発光する装置であり画期的と言える。
【発明が解決しようとする課題】
【００１０】  従来からダイオードの取付けは、リード線にダイオード端子をハンダ付けで接続していた。しかし、近年ダイオードの色別種類が多くなり絵画、玩具にまで用途が拡大している。従って密集した位置にダイオードを配置することが要求され従来のハンダ付けでは不経済となった。
本発明は以上の課題を解消するために接続方法を簡便にし、ハンダ付けから差込み固定するだけでダイオードを発光させることを目的としている。
【課題を解決するための手段】
【００１１】  上記の目的を達成するために、本発明のダイオード端子が自由に差込み、更に固定される事が重要である。その素材として発泡ポリエチレンを選定し、まず面電極に適応させた。更に固定材として絶縁体に発泡スポンジゴム又は発泡ウレタンを採用することにした。本発明で重要な問題は面電極の構成である。発泡樹脂に炭素粒子と樹脂を溶剤で混合した良電導性インクを付着・乾燥させる、これには大変難しい条件が伴う、第１に発泡樹脂の表面は凹凸があり平坦でないことである。この凹凸に低抵抗のカーボン系インクを均一に付着させなければ面電極の役割は果たせない。
【００１２】上記面電極の周域にある電極帯は、金属細線又は金属箔電極で設けられる。次に面電極に接触させるダイオードの２本の突起端子のうち１本は、最初に通過する面電極の厚さ（ｔ１）だけ端子の周囲を絶縁膜で覆い、さらにその先端は第２の面電極まで突き刺さる。短い端子は、面絶縁体から差込まれ第１の面電極で止める長さとする。
この２本の端子共先端は鋭利に尖らしてある。
上記ダイオードの端子は、例えば標識板の標示に沿って字画・方向・数字等が明確に発光されるよう差込み固定される。本発明の目的は、端子を差込み電源に印加するだけで発光する最も画期的な方法として提供する
【発明の効果】
【００１３】  本発明は、±２組の面電極にダイオード端子を複数密集して接触させ通電してダイオードランプを点灯させるシステムで、従来見ることのない発想の発明である。
この発明により、例えば会社の広告標識又は道路標識・鉄道標識等では、青色発光ダイオードを始め赤・黄色・その他の配色を絵画などにも自由にデザインして遠方から鮮明に発光させることができる。
更に、冬季雪国でも融雪防止が出来、標識を鮮明に確認することができる。以上このような簡便なシステムは、組立施工費が格安にでき、更に町の活性化に貢献できる。
【発明を実施するための最良の形態】
【００１４】表面凹凸のある発泡ポリエチレンに炭素粒子と樹脂を溶剤で混合した良電導性インクを０．１Ω〜１Ω×１０３Ωｃｍの電気抵抗値にして付着・乾燥させた面電極と発泡ウレタンの面絶縁体を交互積層させダイオード発光装置を形成する。
通電された発光装置の表面から２本のダイオード端子を差込み固定するとダイオードランプは点灯する。
【実施例１】
【００１５】  本発明の実施の形態を、実施例に基づき図面１を参照して説明する。
図１は差込み固定型発光装置の形態例を示す一部露出斜視図である。
ダイオード（Ｄ）は、発光灯部（Ｒ）と（＋）長端子（Ｄ１）と（−）短端子（Ｄ２）とで構成される。（＋）長端子（Ｄ１）は、面電極（１）を貫通する周囲を絶縁被膜（Ｃ）で保護し、更にその先端は面電極（２）を突き通し固定される。  （−）短端子（Ｄ２）の長さは面電極（１）まで突き刺し止める。  この（±）２端子のいずれも先端を鋭利に尖らせてある。【００１６】  前記面電極の（１）又は（２）は発泡ポリエチレンの如きダイオードの端子先端が貫通し易く、更に固定する素材が好ましい。複数の針刺し可能な面電極（１）又は（２）は、表面凹凸のある発泡体に炭素粒子と樹脂を溶剤で混合したカーボン系良電導性インクで０．１〜１．０×１０３Ωｃｍの電気抵抗値として付着・乾燥させる。【００１７】  前記面電極（１）又は（２）の縁部周辺には、電極帯（Ｅ）と一端に接続端子（Ａ）又は（Ｂ）が設けてある。電極帯（Ｅ）は銅メッキ細線を縒った金属線でミシン縫いして設けられる。また接続端子（Ａ）・（Ｂ）は銅板又はハドメ端子とする。【００１８】    次ぎに面電極（１）・（２）を挟む形の面絶縁体（３）・（４）・（５）は、面電極（１）・（２）と同様にダイオード端子（Ｄ１）・（Ｄ２）の先端が貫通し易く、その上端子が固定される素材として発泡ウレタンを採用した。【００１９】    本発明の標識装置の実施例を、添付の図面２に従って説明する。
標識接続装置（Ｐ）の表面は透明ガラス（Ｇ）又は透明樹脂で保護されている。
装置の側面部は、背面に設けたヒーター（Ｈ）又はヒーターからの放射熱風が標識装置の全体を覆うような構造にしている。
装置内部には、図１で説明したように面電極（１）・（２）を面絶縁体（３）・（４）・（５）が挟み覆う形で固定されている。ダイオード（Ｄ）は標識板の字体又はデザインに沿って２端子（Ｄ１）・（Ｄ２）を差込み固定させる。
電源リード線（ａ）・（ｂ）は面電極（１）・（２）の縁部にある電極帯（Ｅ）の一端にある接続端子（Ａ）・（Ｂ）に接続されている。さらに、電圧毎に抵抗調整器が設けられ制御させている。
【産業上の利用可能性】
【００２０】以上のように、本発明にかかるダイオード端子の差込み固定型接続装置は、道路標識・広告塔その他の標識の字画への平面差込み・農業用ハウスの害虫除去パネル・玩具等は有用である。特に絵画など密集した位置にダイオードを取り付ける部分に用いるのに適している。
【図面の簡単な説明】
【００２１】
【図１】差込み固定型発光装置の露出斜視図
【図２】ダイオードの標識装置の縦断面図
【符号の説明】
【００２２】１…（＋）面電極
２…（−）面電極
３…面絶縁体
４…面絶縁体
５…面絶縁体
Ａ…（＋）面電極側の接続端子
Ｂ…（−）面電極側の接続端子
ａ…Ａに接続する電源リード線
ｂ…Ｂに接続する電源リード線
Ｃ…ダイオードの一部絶縁被膜
Ｄ…ダイオード
Ｄ…ダイオードの長端子
Ｄ…ダイオードの短端子
Ｅ…電極帯
Ｇ…標識盤表面ガラス
Ｈ…ヒーター
Ｐ…標識装置
Ｒ…ダイオードの発光灯部
ｔ１…第１面電極の厚さ
ｔ２…第１絶縁層の厚さ
ｔ３…第２絶縁層の厚さ
ｔ４…第２面電極の厚さ
【手続補正３】
【補正対象書類名】図面
【補正対象項目名】図１
【補正方法】変更
【補正の内容】
【図１】
2007109679.tif 000005